(57)【要約】    【課題】  変速機のクラッチ構造において、発進時の応答性を確保し、スリップ制御の安定性及び精度向上を図る。    【解決手段】  ドラム部材１０と、ドラム部材１０の内側に相対回転可能に配置したハブ部材１１と、両面に摩擦材１２１，１２２を設けた摩擦プレート１２ａ〜１２ｄと、摩擦プレート１２ａ〜１２ｄと対接するメインティングプレート１３…１３とを有し、これらのプレートがハブ部材１１とドラム部材１０とに交互にスプライン嵌合し、作動圧の供給制御により締結力を制御する変速機のクラッチ構造であって、ハブ部材１１に摩擦プレート１２ａ〜１２ｄの内周側から潤滑油を供給する潤滑油供給手段１１ａを設け、摩擦材１２１に潤滑油の流れによる摩擦プレート１２ａ〜１２ｄとメインティングプレート１３…１３とを引き離す作用が小さい第１のパターンの油溝を設け、摩擦材１２２にこの作用が第１のパターンよりも大きい第２のパターンの油溝を設けた。【選択図】    図２
2006342819.tif 000002
【特許請求の範囲】
【請求項１】
ドラム部材と、該ドラム部材の内側に該部材と同心状に相対回転可能に配置されたハブ部材と、両面に摩擦材が設けられた摩擦プレートと、該摩擦プレートと対接するメインティングプレートとを有し、該摩擦プレートとメインティングプレートとが、前記ドラム部材に備えられたピストンとリテーニングプレートとの間で、ハブ部材とドラム部材とに交互にスプライン嵌合されていると共に、前記ピストン背部の油圧室への作動圧の供給制御によりクラッチの締結力が制御される変速機のクラッチ構造であって、
前記ハブ部材には、摩擦プレートの内周側から潤滑油を供給する潤滑油供給手段が設けられていると共に、
各摩擦プレートの摩擦材には、該潤滑油供給手段から供給された潤滑油が流れる油溝が設けられ、
かつ、該油溝として、これを通る潤滑油の流れによる摩擦プレートとメインティングプレートとを引き離す作用が小さい第１のパターンの油溝と、この作用が第１のパターンよりも大きくなる第２のパターンの油溝とが混在して設けられていることを特徴とする変速機のクラッチ構造。
【請求項２】
前記請求項１に記載の変速機のクラッチ構造において、
第１のパターンの油溝が形成された摩擦材の数は、全摩擦プレートを通じて、第２のパターンの油溝が形成された摩擦材の数より少ないことを特徴とする変速機のクラッチ構造。
【請求項３】
前記請求項２に記載の変速機のクラッチ構造において、
第１のパターンの油溝が形成された摩擦材の数は１つであることを特徴とする変速機のクラッチ構造。
【請求項４】
前記請求項１から請求項３のいずれかに記載の変速機のクラッチ構造において、
複数の摩擦プレートのうちの端部に位置する摩擦プレートの端部側の面の摩擦材は、第１のパターンの油溝が形成された摩擦材であることを特徴とする変速機のクラッチ構造。
【請求項５】
前記請求項４に記載の変速機のクラッチ構造において、
複数の摩擦プレートのうちのリテーニングプレート側の端部に位置する摩擦プレートの端部側の面の摩擦材が、第１のパターンの油溝が形成された摩擦材であることを特徴とする変速機のクラッチ構造。  
【請求項６】
前記請求項１から請求項５のいずれかに記載の変速機のクラッチ構造において、
第１のパターンの油溝が形成された摩擦材は、メインティングプレートへの接触面積が、第２のパターンの油溝が形成された摩擦材の接触面積より大きいことを特徴とする変速機のクラッチ構造。
【発明の詳細な説明】
【技術分野】
【０００１】
本発明は、多板式に構成された変速機のクラッチ構造であって、自動車に搭載される変速機の技術分野に属する。
【背景技術】
【０００２】
一般に、自動車に搭載される自動変速機は、変速歯車機構の動力伝達経路を多板式に構成されたクラッチ等の複数の摩擦締結装置の選択的作動により切り換えて、所定の変速段に変速するように構成されたものであるが、前記クラッチとして、例えば特許文献１に開示されているものがある。
【０００３】
即ち、この種のクラッチは、ドラム部材と、該ドラム部材の内側に該部材と同心状に相対回転可能に配置されたハブ部材と、両面に摩擦材が設けられた摩擦プレートと、該摩擦プレートと対接するメインティングプレートとを有し、該摩擦プレートとメインティングプレートとが、ハブ部材とドラム部材とに交互にスプライン嵌合された構造である。そして、ドラム部材にはピストンが備えられ、ピストン背部の油圧室への油圧の供給制御により、前記摩擦プレートとメインティングプレートとが圧着され、ドラム部材とハブ部材とが動力伝達状態になる。また、ピストンはリターンスプリングにより解放側に付勢されている。
【０００４】
また、前記ハブ部材には、摩擦プレートの内周側から潤滑油を供給する油孔が設けられていると共に、前記摩擦プレートに設けられた摩擦材の表面には、供給された潤滑油が流れる所定の油溝が設けられることがあり、潤滑油によって摩擦による加熱や摩耗が防止されるようになっている。
【０００５】
ところで、特許文献１、２に開示されているように、前記クラッチはニュートラルアイドル制御時等にスリップ制御が行われる場合がある。即ち、近年の自動変速機では、例えばＤレンジのアイドル停車時に、クラッチが解放状態に制御され、エンジンの負荷を低減させることにより燃費改善を図ることがある。さらに、このようにクラッチを完全にニュートラル状態にしてしまうと、発進時の応答性が低下するので、これを回避するために、クラッチを微係合状態にするスリップ制御を行うことにより燃費改善と発進性とを両立させることがあり、このようなスリップ制御では、油圧室に供給する油圧の調整により、クラッチ締結力の微妙な制御が行われる。
【特許文献１】特開平１０−２５２７７７号公報
【特許文献２】特開２００４−２５１３１０号公報
【特許文献３】特開２００４−２１１８０１号公報
【発明の開示】
【発明が解決しようとする課題】
【０００６】
ところで、前述のような油圧によりピストンの押付け力を制御する構成においてスリップ状態が行われる場合は、ピストンに作用する油圧とリターンスプリングによる反発力との釣り合いにより摩擦プレートとメインティングプレートとの接触状態（クラッチクリアランス）が決定される。このとき、制御油圧のばらつきが生じると、ピストンの押付け力のばらつきとなって、クラッチクリアランスが変動することになる。そして、クラッチクリアランスのばらつきは、引き摺りトルクのばらつき、即ちクラッチ締結力のばらつきとなり、車体の振動等の問題を引き起こす原因になる。
【０００７】
また、プレートの枚数を減少させることによってトルク容量を小さくし、油圧の変動に対する締結力の変動を減少させることが考えられるが、多板式のクラッチでは、完全締結時に十分な締結力を確保するために多枚数のプレートで構成せざるを得ず、このためトルク容量が大きくなるので油圧に対する締結力の変動が敏感にならざるを得ない。
【０００８】
一方、潤滑油の流動により摩擦プレートとメインティングプレートとを引き離す作用が大きい油溝パターンを摩擦材に形成し、スリップ制御時のクラッチクリアランスを増大させ、油圧のばらつきに対して締結力の変動を抑制することが考えられる。しかしながら、全ての摩擦材にこのような油溝パターンが形成されている場合、発進時の応答性が低下するという問題が生じる。
【０００９】
そこで、本発明は、変速機のクラッチ構造において、発進時の応答性を確保すると共に、スリップ制御の安定性及び精度向上を図ることを課題とする。
【課題を解決するための手段】
【００１０】
前記課題を解決するため、本発明は次のように構成したことを特徴とする。
【００１１】
まず、本願の請求項１に記載の発明は、ドラム部材と、該ドラム部材の内側に該部材と同心状に相対回転可能に配置されたハブ部材と、両面に摩擦材が設けられた摩擦プレートと、該摩擦プレートと対接するメインティングプレートとを有し、該摩擦プレートとメインティングプレートとが、前記ドラム部材に備えられたピストンとリテーニングプレートとの間で、ハブ部材とドラム部材とに交互にスプライン嵌合されていると共に、前記ピストン背部の油圧室への作動圧の供給制御によりクラッチの締結力が制御される変速機のクラッチ構造であって、前記ハブ部材には、摩擦プレートの内周側から潤滑油を供給する潤滑油供給手段が設けられていると共に、各摩擦プレートの摩擦材には、該潤滑油供給手段から供給された潤滑油が流れる油溝が設けられ、かつ、該油溝として、これを通る潤滑油の流れによる摩擦プレートとメインティングプレートとを引き離す作用が小さい第１のパターンの油溝と、この作用が第１のパターンよりも大きくなる第２のパターンの油溝とが混在して設けられていることを特徴とする。
【００１２】
なお、前記クラッチ構造は、変速用のクラッチの他、トルクコンバータ等の流体伝動装置の入力側と出力側とを連結するロックアップクラッチであって多板式に構成されたものが対象となる。
【００１３】
また、請求項２に記載の発明は、前記請求項１に記載の変速機のクラッチ構造において、第１のパターンの油溝が形成された摩擦材の数は、全摩擦プレートを通じて、第２のパターンの油溝が形成された摩擦材の数より少ないことを特徴とする。
【００１４】
さらに、請求項３に記載の発明は、前記請求項２に記載の変速機のクラッチ構造において、第１のパターンの油溝が形成された摩擦材の数は１つであることを特徴とする。
【００１５】
また、請求項４に記載の発明は、前記請求項１から請求項３のいずれかに記載の変速機のクラッチ構造において、複数の摩擦プレートのうちの端部に位置する摩擦プレートの端部側の面の摩擦材は、第１のパターンの油溝が形成された摩擦材であることを特徴とする。
【００１６】
一方、請求項５に記載の発明は、前記請求項４に記載の変速機のクラッチ構造において、複数の摩擦プレートのうちのリテーニングプレート側の端部に位置する摩擦プレートの端部側の面の摩擦材が、第１のパターンの油溝が形成された摩擦材であることを特徴とする。
【００１７】
そして、請求項６に記載の発明は、前記請求項１から請求項５のいずれかに記載の変速機のクラッチ構造において、第１のパターンの油溝が形成された摩擦材は、メインティングプレートへの接触面積が、第２のパターンの油溝が形成された摩擦材の接触面積より大きいことを特徴とする。
【発明の効果】
【００１８】
まず、請求項１に記載の発明によれば、スリップ制御の際に、ピストンの押付けにより、摩擦プレートとメインティングプレートとが圧着されるが、このとき、摩擦プレートの摩擦材に設けられる油溝として、摩擦プレートとメインティングプレートと引き離す作用が小さい第１のパターンの油溝と、この作用が第１のパターンよりも大きくなる第２のパターンの油溝とが混在して設けられており、第１のパターンの油溝は、プレート同士を引き離す作用が小さい結果、接触面（以下、「第１の摩擦面」という）のクラッチクリアランスが小さくなって、大きな引き摺りトルクを発生させると共に、第２のパターンの油溝は、プレート同士を引き離す作用が大きい結果、接触面（以下、「第２の摩擦面」という）のクラッチクリアランスが大きくなり、比較的小さな引き摺りトルクを発生させる。
【００１９】
このような構成により、要求される伝達トルクに対して第１の摩擦面と第２の摩擦面とのトルク分担率が異なるよう構成される。つまり、伝達トルクは専ら第１の摩擦面に分担される。また、第２の摩擦面のトルク分担は小さいが、油圧のばらつきによるピストンの押付け力の変動が第２の摩擦面における拡大されたクラッチクリアランスの変動により吸収されて、クラッチ締結力の変動が抑制される。また、スリップ制御におけるトルク伝達を専ら第１の摩擦面の引き摺りトルクが担う構成においては、トルク伝達に寄与する接触面数が減少し、油圧のばらつきに対する締結力の変動が抑制される。
【００２０】
この結果、第１の摩擦面による引き摺りトルクにより、発進時に必要なクリープ力を作用させることができるので、応答性が確保されると共に、第２の摩擦面における拡大されたクラッチクリアランスにより油圧のばらつきに対する締結力の変動が抑制されて、スリップ制御の安定性及び制御精度が向上する。
【００２１】
さらに、スリップ制御時にはジャダーと呼ばれるクラッチのスティックスリップ振動を生じる問題があるが、前述のように第１、第２のパターンの油溝が形成された摩擦材を混在させることにより共振現象の発生が抑制され、ジャダーが抑制されることになる。
【００２２】
また、請求項２に記載の発明によれば、第１のパターンの油溝が形成された摩擦材の数が全摩擦プレートを通じて第２のパターンの油溝が形成された摩擦材の数より少なくされているので、クラッチクリアランスが大きな第２の摩擦面の割合が高くなり、油圧のばらつきに対する締結力の変動が効果的に抑制される。
【００２３】
さらに、請求項３に記載の発明によれば、第１のパターンの油溝が形成された摩擦材の数が１つであり、この摩擦材で形成される第１の摩擦面を除く全ての接触面がクラッチクリアランスを拡大する第２の摩擦面で構成されることになって、油圧のばらつきに対する締結力の変動が一層効果的に抑制される。
【００２４】
一方、請求項４に記載の発明によれば、複数の摩擦プレートのうちの端部に位置する摩擦プレートの端部側の面の摩擦材は第１のパターンの油溝が形成されたものであるから、第１の摩擦面の発熱が効果的に放熱され、クラッチの耐久性が向上する。両端の摩擦プレートは、外気に最も近い上、摩擦材はピストンやリテーニングプレートなどの熱容量の大きな部材に接触するので効率的な放熱が可能である一方、中間部の摩擦プレートは熱が発散され難いので、スリップ制御時の温度分布は、両端部が最も低くなる。また、第１の摩擦面はトルク分担が大きいので摩擦による発熱量が多く、第２の摩擦面はトルク分担が小さいので摩擦による発熱量が小さい。そのため、前述のように、中間の摩擦プレートに第２のパターンの油溝が形成された摩擦材を使用することによりクラッチの中間部の発熱が抑制されると共に、発熱しやすい第１のパターンの油溝が形成された摩擦材を放熱性の良い端部の摩擦プレートに使用することにより発熱しても放熱させることができ、第１の摩擦面と第２の摩擦面との温度負荷に対するバランスをとる設定が可能になって、クラッチ全体としての耐久性が確保されることになる。
【００２５】
また、請求項５に記載の発明によれば、複数の摩擦プレートのうちのリテーニングプレート側の端部に位置する摩擦プレートの端部側の面の摩擦材は第１のパターンの油溝が形成されたものであるから、第１の摩擦面の発熱が効果的に放熱され、クラッチの耐久性が向上することになる。リテーニングプレートは、リテーナによってもたらされる摩擦面面圧の外周部集中などを抑制するため、リテーナに隣接させた厚肉で剛性が高められたプレートである。そして、このリテーニングプレートは熱容量が大きく、接触する摩擦材の摩擦による発熱が一層効果的に吸収される。
【００２６】
そして、請求項６に記載の発明によれば、第１のパターンの油溝が形成された摩擦材の接触面積が第２のパターンの油溝が形成された摩擦材の接触面積よりも大きいので、油圧のばらつきに対するクラッチ締結力の変動が一層小さくなる。さらに、接触面積が大きいことにより第１の摩擦面のトルク分担率が大きくなるが、接触面厚を低減させることができるので発熱が抑制され、さらに、接触面積が大きいと熱吸収面が増加することになって摩擦面の冷却が促進され、第１の摩擦面と第２の摩擦面との温度負荷に対するバランスをとる設定が可能になって、クラッチ全体としての耐久性が確保されることになる。
【発明を実施するための最良の形態】
【００２７】
以下、本発明の実施の形態について説明する。
【００２８】
図１に示すように、自動変速機のクラッチ１は、主な構成要素として、変速機ケース２に回動自在に支持された回転軸３に固着されたクラッチドラム１０と、遊星歯車機構（図示せず）の前方への延長部４にスプライン結合されたクラッチハブ１１と、該ハブ１１の外周側にスプライン結合された複数枚の摩擦プレート１２…１２と、該摩擦プレート１２…１２と軸方向に交互に配置されると共に前記ドラム１０の内周側にスプライン結合された複数枚のメインティングプレート１３…１３と、前記ドラム１０内に軸方向に摺動可能に収納され、該ドラム１０との間に油圧室１４を形成するピストン１５と、回転軸３に固着され、前記ピストン１５と共に遠心バランス室１６を形成するプレート部材１７とを有している。また、前記ピストン１５には、油圧室１４を密閉するためのシール部材１５ａが装着されている一方、前記クラッチハブ１１とプレート部材１７とで潤滑油室１８が形成されている。
【００２９】
前記油圧室１４には、オイルポンプハウジング５に設けられた油路５ａ、変速機ケース２に設けられた油路２ａ、及びドラム１０に設けられた連通路１０ａを介して作動油が供給される。
【００３０】
また、前記遠心バランス室１６には、回転軸３に設けられた油路３ａを介して潤滑油が供給される。また、プレート部材１７には油孔１７ａが設けられていると共に、該油孔１７ａを介して遠心バランス室１６から潤滑油室１８に潤滑油が供給されるようになっている。さらに、クラッチハブ１１の外周部には、前記潤滑油室１８と各摩擦プレート１２が嵌合されるスプライン１２′とを連通する複数の油孔１１ａ…１１ａが設けられている。また、クラッチドラム１０の外周部には、各メインティングプレート１３が嵌合されるスプライン１０′とクラッチドラム１０の外部側とを連通する複数の油孔１０ｂ…１０ｂが設けられている。
【００３１】
そして、図２に示すように、クラッチドラム１０の外周部の内周側には、ピストン１５側（以下、「前方」という）に４枚のメインティングプレート１３…１３が嵌合され、反ピストン１５側（以下、「後方」という）の端部にリテーニングプレート１９が嵌合されている。また、リテーニングプレート１９の後部には、該リテーニングプレート１９の後方への抜け落ちを規制するスナップリング２０がクラッチドラム１０に固着されている。そして、クラッチハブ１１の外周側には、前記メインティングプレート１３…１３間及びメインティングプレート１３とリテーニングプレート１９との間に位置するように合計４枚の摩擦プレート（以下、後方側のものから第１〜第４摩擦プレートといい、順に記号１２ａ〜１２ｄを付す）１２…１２が嵌合されている。
【００３２】
次に、前記第１〜第４摩擦プレート１２ａ〜１２ｄの具体的構成について説明する。なお、第２〜第４摩擦プレート１２ｂ〜１２ｄは同様の構成であるので、以下に第１摩擦プレート１２ａ及び第２摩擦プレート１２ｂについてのみを説明する。
【００３３】
図３〜５に示すように、第１摩擦プレート１２ａは、内周部１２ａ′が歯車状に形成され、この内周部１２ａ′がクラッチハブ１１のスプライン１１′に嵌合する。そして、第１摩擦プレート１２ａの後面には、環状の摩擦材１２１が設けられている。該摩擦材１２１には、内周縁から外周縁に至るように半径方向に設けられた複数の油溝１２１ａ…１２１ａが形成されている（以下、摩擦材１２１の油溝パターンを「第１のパターン」という）。また、第１摩擦プレート１２ａの後面には、環状の摩擦材１２２が設けられている。該摩擦材１２２には、内周縁から外周縁に至る半径方向に設けられた複数の油溝１２２ａ…１２２ａと、内周縁から半径方向中間部に亘って設けられた複数の油溝１２２ｂ…１２２ｂとが円周方向に交互に設けられている（以下、摩擦材１２２の油溝パターンを「第２のパターン」という）。
【００３４】
また、図６に示すように、第２摩擦プレート１２ｂは、同様に内周部１２ｂ′が歯車状に形成され、この内周部１２ｂ′がクラッチハブ１１のスプライン１１′に嵌合する。そして、第２摩擦プレート１２ｄの両面には、前述の第２のパターンの油溝が形成された摩擦材１２２，１２２がそれぞれ設けられている。
【００３５】
一方、クラッチのスリップ制御を行うときには、前記油圧室１４に、完全締結時の油圧よりも低い所定の油圧が供給され、ピストン１５はリターンスプリング１７ｂ（図１参照）に抗して後方側に移動する。そして、ピストン１５の後端部が最前側のメインティングプレート１３に当接して、油圧に応じた所定の押付け力を作用させることになる。これによって各摩擦プレート１２ａ〜１２ｄに設けられた各摩擦材１２１，１２２とメインティングプレート１３…１３或いはリテーニングプレート１９とが所定の接触状態になる。
【００３６】
このとき、クラッチハブ１１に設けられた油孔１１ａ…１１ａを介して供給された潤滑油が各摩擦材１２１，１２２とメインティングプレート１３…１３或いはリテーニングプレート１９との接触面に供給される。第１のパターンの油溝が形成された摩擦材１２１による接触面（以下、「第１の摩擦面」という）においては、内周側から供給された潤滑油は、油溝１２１ａ…１２１ａを介して外周側に流出することになる。
【００３７】
また、第２のパターンの油溝が形成された摩擦材１２２による接触面（以下、「第２の摩擦面」という）においては、図５の矢印アで示すように、内周側から供給された潤滑油は、油溝１２２ａ…１２２ａに流入したものは該油溝１２２ａ…１２２ａを介して外周側に流出すると共に、矢印イで示すように、油溝１２２ｂ…１２２ｂに流入したものは該油溝１２２ｂ…１２２ｂを介して中間部に至り、ここから前後方向に滲み出て外周側に排出される。
【００３８】
このように、第１の摩擦面においては、潤滑油は油溝１２１ａ…１２１ａを介して外周側に流出するので、クラッチクリアランスを拡大する作用は小さいが、第２の摩擦面においては、潤滑油が滲み出ることによって軸方向の推力Ｆ（図５参照）が発生し、この推力Ｆがプレート１２，１３同士を引き離すように作用し、クラッチクリアランスを拡大させることになる。
【００３９】
一方、スリップ制御におけるクラッチによる伝達トルクは、基本的には、有効半径×摩擦面１枚平均の引き摺りトルク×摩擦面数で表現される。そして、各接触面において発生する引き摺りトルクは、クラッチクリアランスなどによるオイルと気体のせん断接触状態が影響する。
【００４０】
図７のグラフに示すように、スリップ制御において、クラッチクリアランスが小さい第１の摩擦面に分担される引き摺りトルクは、クラッチクリアランスが大きい第２の摩擦面に分担される引き摺りトルクよりも大きくなり、点Ｐで示すような全ての摩擦材が同一の摩擦材で構成されているときに比べて、第１、第２摩擦面でトルク分担が明確に分かれている。そして、第１、第２の摩擦面における引き摺りトルクの合計を足し合わせたトータルの引き摺りトルクが、必要な車両のクリープ力が得られるように、第１、第２の摩擦面の割合ないし組合せが設定されることになる。
【００４１】
このような構成により、油圧のばらつきによるピストン１５の押付け力の変動は、第２の摩擦面における拡大されたクラッチクリアランスの変動により吸収されて、クラッチ締結力の変動が抑制される。また、スリップ制御におけるトルク伝達を専ら第１の摩擦面の引き摺りトルクが担う構成においては、トルク伝達に寄与する接触面数が減少し、油圧のばらつきに対する締結力の変動が抑制される。
【００４２】
この結果、第１の摩擦面による引き摺りトルクにより、発進時に必要なクリープ力を作用させることができるので、応答性が確保されると共に、油圧のばらつきに対する締結力の変動が抑制されて、スリップ制御の安定性及び制御精度が向上する。
【００４３】
また、クラッチ締結力のばらつきは、スリップ制御における所定のエンジン負荷の抑制や車両のクリープ力の設定にばらつきを生じるが、エンジン負荷が安定することにより燃費改善を図ることができると共に、適切な車両のクリープ力を設定することができる。
【００４４】
さらに、スリップ制御時にはジャダーと呼ばれるクラッチのスティックスリップ振動を生じる問題があるが、前述のように第１、第２のパターンの油溝が形成された摩擦材１２１，１２２を混在させることにより共振現象の発生が抑制され、ジャダーが抑制されることになる。
【００４５】
また、第１のパターンの油溝が形成された摩擦材１２１の数が全摩擦プレート１２…１２を通じて第２のパターンの油溝が形成された摩擦材１２２の数より少なくされているので、接触面においてクラッチクリアランスが大きくなる割合が高くなり、油圧のばらつきに対する締結力の変動が効果的に抑制される。特に、本実施の形態においては、第１のパターンの油溝が形成された摩擦材１２１の数が１つであり、この摩擦材１２１で形成される接触面を除く全ての接触面におけるクラッチクリアランスが大きくなって、油圧のばらつきに対する締結力の変動が一層効果的に抑制されている。
【００４６】
一方、摩擦プレート１２ａ〜１２ｄの内の端部に位置する摩擦材１２ａ，１２ｄを第１のパターンの油溝を形成することにより、第１の摩擦面の発熱が効果的に放熱され、摩擦材１２１，１２２の耐久性が向上することになる。両端の摩擦プレート１２ａ，１２ｄは、外気に最も近い上、摩擦材１２１，１２２はピストン１５やリテーニングプレート１９などの熱容量の大きな部材に接触するので効率的な放熱が可能である一方、中間部の摩擦プレート１２ｂ，１２ｃは熱が発散し難いので、スリップ制御時の温度分布は、図８に示すように、両端部が最も低くなる。さらに、前記第１の摩擦面はトルク分担が大きいので発熱量が多く、第２の摩擦面はトルク分担が小さいので発熱量が小さい。そのため、前述のように、中間の摩擦プレート１２ｂ，１２ｃに第２のパターンの油溝が形成された摩擦材１２２を使用することにより中間部の発熱が抑制されると共に、発熱しやすい第１のパターンの油溝が形成された摩擦材１２１を放熱性の良い端部の摩擦プレート１２ａ，１２ｄに使用することにより発熱しても放熱させることができ、第１の摩擦面と第２の摩擦面との温度負荷に対するバランスをとる設定が可能になって、クラッチ全体としての耐久性が確保されることになる
【００４７】
また、本実施の形態で示したように、摩擦プレート１２ａ〜１２ｄのうちのリテーニングプレート１９側の端部に位置する摩擦プレート１２ａの端部側の摩擦材１２１は第１のパターンの油溝が形成されたものであるから、第１の摩擦面の発熱が効果的に放熱され、クラッチの耐久性が向上することになる。リテーニングプレート１９は、リテーナによってもたらされる摩擦面の面圧の外周部集中などを抑制するため、リテーナに隣接させた厚肉で剛性が高められたプレートである。そして、このリテーニングプレート１９は熱容量が大きく、接触する摩擦材１２１の摩擦による発熱が一層効果的に吸収される。
【００４８】
一方、本発明の第２の実施の形態として、図９に示すように、第２のパターンの油溝が形成された摩擦材１２２の内周側を切除し、第１のパターンの油溝が形成された摩擦材１２１に比べてメインティングプレート１３…１３との接触面積が小さくなるように摩擦材１２２′…１２２′が構成したものがある。この構成によれば、第１、第２の摩擦面のトルク分担が一層明確になる。
【００４９】
そして、この結果、油圧のばらつきに対するクラッチ締結力の変動が一層小さくなる。さらに、接触面積が大きいことにより第１の摩擦面のトルク分担率が大きくなるが、接触面厚を低減させることができるので発熱が抑制され、さらに摩擦面積が大きいと熱吸収面が増加することになって摩擦面の冷却が促進され、第１の摩擦面と第２の摩擦面との温度負荷に対するバランスをとる設定が可能になって、クラッチ全体としての耐久性が確保されることになる。
【００５０】
ところで、多板式のロックアップクラッチでは、スリップ制御において振動減衰作用のばらつきや減速時のフーエルカット時間の拡大によるエンジン回転維持制御などがばらつき、走行品質の低下や燃費低減作用が得られない状態になることがあるが、前述のクラッチ構造を適用することによって、前記ばらつきを抑制し、走行品質及び燃費低減作用が改善される。
【００５１】
一方、クラッチクリアランスを拡大させる作用が得られる油溝のパターンは、前記第２のパターンの油溝に限らず、流路抵抗が存在するように形成されていればよい。例えば図１０、１１に示すように、摩擦材１２ｘの内周縁から中間部１２３ａ２にまで半径方向の油溝１２３ａ１が設けられ、ここから油溝１２３ａ１が折り曲げられ、半径方向以外の方向に延びる油溝１２３ａ３が外周縁に連通するように構成された油溝のパターン（以下、「第３のパターン」という）がある。
【００５２】
第３のパターンが設けられた摩擦材１２ｘでは、潤滑油は油溝１２３ａ１に流入し、中間部１２３ａ２において潤滑油の流動に対して流路抵抗が作用し、軸方向の推力Ｆを発生させつつ、油溝１２３ａ３に流入し、外周側に排出されることになる。従って、第３のパターンの油溝は、クラッチクリアランスを拡大させる作用を有し、前述の第２のパターンの油溝と同様の作用が得られる。
【産業上の利用可能性】
【００５３】
本発明は、変速機に用いられるクラッチ構造に関し、自動車産業に広く好適である。
【図面の簡単な説明】
【００５４】
【図１】本発明の実施の形態に係るクラッチ構造の断面図である。
【図２】同クラッチ構造の要部拡大断面図である。
【図３】第１摩擦プレートの背面図である。
【図４】第１摩擦プレートの正面図である。
【図５】図４の矢印Ａ−Ａ線による拡大断面図である。
【図６】第２摩擦プレートの拡大断面図である。
【図７】クラッチクリアランスに対する引き摺りトルクを示すグラフである。
【図８】スリップ制御におけるクラッチの位置に対するクラッチ温度を示すグラフである。
【図９】油溝のパターンに応じて接触面積を変更したクラッチの説明図である。
【図１０】第３のパターンの油溝の説明図である。
【図１１】図１０の矢印Ｂ−Ｂ線による拡大断面図である。
【符号の説明】
【００５５】
１          クラッチ
１０        クラッチドラム
１１        クラッチハブ
１１ａ      油孔
１２        摩擦プレート
１３        メインティングプレート
１４        油圧室
１５        押付けピストン
１９        リテーニングプレート
１２１，１２２    摩擦材
１２１ａ，１２２ａ，１２２ｂ    油溝
【図１】
2006342819.tif 000003
【図２】
2006342819.tif 000004
【図３】
2006342819.tif 000005
【図４】
2006342819.tif 000006
【図５】
2006342819.tif 000007
【図６】
2006342819.tif 000008
【図７】
2006342819.tif 000009
【図８】
2006342819.tif 000010
【図９】
2006342819.tif 000011
【図１０】
2006342819.tif 000012
【図１１】
2006342819.tif 000013